【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
スピンドルモータであって、
前記モータの回転軸線を包囲している環状領域に設けられた複数のステータ歯を有し、  前記回転軸線を包囲した状態で設けられた複数の巻線を備えた巻線層を有し、前記複数の巻線の各々が、前記回転軸線に平行な巻線軸線を有し、前記複数のステータ歯の各々にそれぞれ結合され、
半径方向に間隔を置いて位置決めされると共に前記環状領域と同一平面内に位置する磁石を備えたロータを有し、前記磁石は、前記磁石の半径方向に沿って磁束を生じさせるよう環状に分布して設けられた磁極を有し、
各ステータ歯は、前記磁石に向いた第１の端部を有し、前記第１の端部は、前記磁石の軸方向寸法に対応するよう前記回転軸線に平行な方向に沿って突き出されており、
各ステータ歯は、第１の層及び前記第１の層に積層された第２の層を有し、前記第１の層の端部分は、第１の軸方向に沿って突き出され、前記第２の層の端部分は、前記第１の方向とは逆の第２の方向に沿って突き出されている、
ことを特徴とするスピンドルモータ。
【請求項２】
スピンドルモータであって、
前記モータの回転軸線を包囲している環状領域に設けられた複数のステータ歯を有し、  各々が前記複数のステータ歯の各々にそれぞれ結合されていて、前記回転軸線に平行に差し向けられている巻線軸線を備えた第１の組をなす巻線を有し、
半径方向に間隔を置いて位置決めされると共に前記環状領域と同一平面内に位置する磁石を備えたロータを有し、前記磁石は、前記磁石の半径方向に沿って磁束を生じさせるよう環状に分布して設けられた磁極を有し、
各ステータ歯は、前記磁石に向いた第１の端部を有し、前記第１の端部は、前記磁石の軸方向寸法に対応するよう前記回転軸線に平行な方向に沿って突き出されており、
各ステータ歯は、第１の層及び前記第１の層に積層された第２の層を有し、前記第１の層の端部分は、第１の軸方向に沿って突き出され、前記第２の層の端部分は、前記第１の方向とは逆の第２の方向に沿って突き出されている、
ことを特徴とするスピンドルモータ。
【請求項３】
回転軸線を備えたスピンドルモータであって、前記スピンドルモータは、
積層ステータリングを有し、前記積層ステータリングは、第１の組をなすステータ歯を形成する透磁性材料の第１の層と、ステータヨークを形成する透磁性材料の基部層との間にサンドイッチされた複数の巻線とを有し、前記複数の巻線の各々は、前記回転軸線に平行な巻線軸線を備えており、
互いに半径方向に間隔を置いて位置決めされると共に前記回転軸線回りに前記ステータリングと軸方向に整列している磁石を備えたロータを有し、前記磁石は、前記磁石の半径方向に沿って磁束を生じさせるよう環状に分布して設けられた磁極を有し、
各ステータ歯は、前記磁石に向いた第１の端部を有し、前記第１の端部は、前記磁石の軸方向寸法に対応するよう前記回転軸線に平行な方向に沿って突き出されており、
前記スピンドルモータは、前記第１の層と前記複数の巻線との間に配置された第２の組をなすステータ歯を形成する透磁性材料の第２の層を更に有し、前記第１の組をなすステータ歯の各々の端部分は、第１の軸方向に沿って突き出されており、前記第２の組をなすステータ歯の各々の端部分は、前記第１の方向とは逆の第２の方向に沿って突き出されている、
ことを特徴とするスピンドルモータ。
【請求項４】
スピンドルモータであって、
前記モータの回転軸線を包囲している環状領域に設けられた複数のステータ歯を有し、  前記回転軸線を包囲した状態で設けられた複数の巻線を備えた巻線層を有し、前記複数の巻線の各々が、前記回転軸線に平行な巻線軸線を有し、前記複数のステータ歯の各々にそれぞれ結合されており、
半径方向に間隔を置いて位置決めされると共に前記環状領域と同一平面内に位置する磁石を備えたロータを有し、前記磁石は、前記磁石の半径方向に沿って磁束を生じさせるよう環状に分布して設けられた磁極を有し、
前記巻線層は、プリント回路板の導電層で形成されている、
ことを特徴とするスピンドルモータ。
【請求項５】
スピンドルモータであって、
前記モータの回転軸線を包囲している環状領域に設けられた複数のステータ歯を有し、  前記回転軸線を包囲した状態で設けられた複数の巻線を備えた巻線層を有し、前記複数の巻線の各々が、前記回転軸線に平行な巻線軸線を有し、前記複数のステータ歯の各々にそれぞれ結合されており、
半径方向に間隔を置いて位置決めされると共に前記環状領域と同一平面内に位置する磁石を備えたロータを有し、前記磁石は、前記磁石の半径方向に沿って磁束を生じさせるよう環状に分布して設けられた磁極を有し、
前記巻線層は、ワイヤボンデッド基板の配線層で形成されている、
ことを特徴とするスピンドルモータ。
【請求項６】
スピンドルモータであって、
前記モータの回転軸線を包囲している環状領域に設けられた複数のステータ歯を有し、  各々が前記複数のステータ歯の各々にそれぞれ結合されていて、前記回転軸線に平行に差し向けられている巻線軸線を備えた第１の組をなす巻線を有し、
半径方向に間隔を置いて位置決めされると共に前記環状領域と同一平面内に位置する磁石を備えたロータを有し、前記磁石は、前記磁石の半径方向に沿って磁束を生じさせるよう環状に分布して設けられた磁極を有し、
前記複数のステータ歯に結合されたステータヨークを有し、前記第１の組をなす巻線は、前記複数のステータ歯と前記ステータヨークとの間に配置されており、
前記第１の組をなす巻線の各々は、巻線の中央領域を貫通して設けられたコアを有し、各コアは、対応の前記ステータ歯及び前記ステータヨークに連結されており、
前記第１の組をなす巻線の各々は、第１の巻線層内に分布して設けられており、
前記スピンドルモータは、第１の側部が前記第１の巻線層に貼り付けられた誘電体基板を更に有し、前記誘電体基板及び前記第１の巻線層は、前記複数のステータ歯と前記ステータヨークとの間に設けられている、
ことを特徴とするスピンドルモータ。
【手続補正２】
【補正対象書類名】明細書
【補正対象項目名】００１４
【補正方法】変更
【補正の内容】
【００１４】
【図１】本発明の一実施形態としてのスピンドルモータの斜視図である。
【図２】図１の分解組立て部分斜視図である。
【図３Ａ】図１の断面正面図である。
【図３Ｂ】図３Ａの部分拡大図である。
【図３Ｃ】本発明の別の実施形態としてのスピンドルモータの断面正面図である。
【図４】図１に示されているスピンドルモータのアーマチュア巻線を示す斜視図である。
【図５】図１に示されているスピンドルモータのステータヨークを示す斜視図である。
【図６Ａ】図１に示されているスピンドルモータの巻線コアを示す斜視図である。
【図６Ｂ】図１に示されているスピンドルモータのステータ歯の斜視図であり、巻線コアがステータ歯上に形成され又は組み付けられている状態を示す図である。
【図６Ｃ】スピンドルモータのステータヨークに連結された巻線コアを示す斜視図である。
【図７】図３Ａの部分斜視図であり、磁束通路を示す図である。
【図８】本発明の別の実施形態としてのスピンドルモータの部分斜視図である。
【図９】本発明の別の実施形態としてのスピンドルモータの斜視図である。
【図１０】図９の部分拡大断面図である。
【図１１Ａ】図９に示されているスピンドルモータの１つの例示の単一層アーマチュア巻線を示す平面図側斜視図である。
【図１１Ｂ】図９に示されているスピンドルモータの１つの例示の単一層アーマチュア巻線を示す底面図側斜視図である。
【図１２Ａ】図９に示されているスピンドルモータのステータヨークを示す平面図側斜視図である。
【図１２Ｂ】図９に示されているスピンドルモータのステータヨークを示す底面図側斜視図である。
【図１３】図９に示されているスピンドルモータのステータ歯の外側層を示す斜視図である。
【図１４】図９に示されているスピンドルモータのステータ歯の内側層を示す斜視図である。
【図１５】図９の部分斜視図であり、磁束通路を示す図である。
【図１６】本発明の別の実施形態としてのスピンドルモータの歯のピン形態を示す部分断面図である。
【図１７】本発明の更に別の実施形態としてのスピンドルモータの歯のピン形態を示す部分断面図である。
【図１８】本発明の更に別の実施形態としてのスピンドルモータのステータヨークのピン形態を示す部分断面図である。
【図１９】本発明の別の実施形態としてのスピンドルモータの部分斜視図である。